【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
自動インフラ管理（ＡＩＭ）システムで使用するためのマルチラックのラックコントローラであって、
該ラックコントローラは、ソフトウェアを実行するように構成されたプロセッサと、複数の独立したパッチング装置バスインタフェースと、を備え、
各バスインタフェースは、前記プロセッサを、インテリジェントパッチング装置と通信し、該インテリジェントパッチング装置に電力を供給するために該インテリジェントパッチング装置がインストールされている複数のラックのそれぞれにインストールされているそれぞれのパッチング装置バスアセンブリに結合するように構成された、
ラックコントローラ。
【請求項２】
前記プロセッサは、インテリジェントパッチング装置の所与のアイテムに対して、前記ラックコントローラが、前記所与のアイテムとの通信に使用されている前記複数のパッチング装置バスインタフェースのうちのどれに基づいて、所与のアイテムが設置されている、どのラックと通信しているか、を決定するように構成される、請求項１に記載のラックコントローラ。
【請求項３】
前記複数のパッチング装置バスインタフェースが、前記複数のパッチング装置バスインタフェースのうちの、どれが、前記ラックコントローラの各ラックに取り付ける前記インテリジェントパッチング装置の結合に使用する必要があるかを特定する所定のスキームをサポートするように配置されている、請求項１に記載のラックコントローラ。
【請求項４】
前記プロセッサを外部ネットワークに結合するように構成された、外部ネットワークインタフェースをさらに備える、請求項１に記載のラックコントローラ。
【請求項５】
少なくとも１つのラックコントローラインタフェースをさらに備え、各ラックコントローラインタフェースは、前記ラックコントローラを別のラックコントローラに接続するように構成される、請求項１に記載のラックコントローラ。
【請求項６】
各ラックコントローラインタフェースは、
前記ラックコントローラインタフェースが別のラックコントローラに接続されている場合、前記ラックコントローラインタフェースのそれぞれの感知信号に対して、それぞれの第１の所定のレベルを発現させ、
前記ラックコントローラインタフェースが別のラックコントローラに接続されていない場合、前記ラックコントローラインタフェースの前記それぞれの感知信号に対して、それぞれの第２の所定のレベルを発現させる
ように構成されたそれぞれの終端回路を備え、
前記プロセッサは、前記それぞれの感知信号の機能として、各ラックコントローラインタフェースが別のラックコントローラに接続されているかどうかを決定するように構成されている、
請求項５に記載のラックコントローラ。
【請求項７】
前記少なくとも１つのラックコントローラインタフェースは、デイジーチェーントポロジで、ラックコントローラのネットワークを確立するために、第１および第２ラックコントローラインタフェースを備え、
前記第１ラックコントローラインタフェースの前記それぞれの第１の所定のレベルは、前記第２ラックコントローラインタフェースの前記それぞれの第１の所定のレベルと同じではない、請求項６に記載のラックコントローラ。
【請求項８】
前記プロセッサと、前記複数の独立したパッチング装置バスインタフェースとを備えるベースユニットをさらに備え、
前記ベースユニットは、前記ベースユニットの前面に配置された位置特定ボタンを備え、該位置特定ボタンは前記プロセッサに結合されており、
前記位置特定ボタンは、前記プロセッサにユーザ入力を提供するために、および、前記ラックコントローラに、アプリに前記ラックコントローラ、１つ以上のラック、または、該１つ以上のラックに取り付けられたパッチング装置少なくとも１つに関連付けられている情報を表示するためにポータブルデバイスで実行させるように動作可能なメッセージを送信させるために作動させることができる、
請求項１に記載のラックコントローラ。
【請求項９】
前記プロセッサと、前記複数の独立したパッチング装置バスインタフェースとを備えるベースユニットをさらに備え、
ケーブルを介して前記ベースユニットに接続されるように構成されたディスプレイユニットをさらに備える、請求項１に記載のラックコントローラ。
【請求項１０】
自動インフラ管理（ＡＩＭ）システムで使用するためのラックコントローラであって、該ラックコントローラは、
ソフトウェアを実行するように構成されたプロセッサと、
少なくとも１つのパッチング装置バスインタフェースであって、各パッチング装置バスインタフェースは、前記プロセッサを、インテリジェントパッチング装置がインストールされているそれぞれのラックに設置された、それぞれのパッチング装置バスアセンブリに結合するように構成され、前記インテリジェントパッチング装置と通信し、前記インテリジェントパッチング装置に電力を供給するための少なくとも１つのパッチング装置バスインタフェースと、
少なくとも１つのラックコントローラインタフェースであって、各ラックコントローラインタフェースは、前記ラックコントローラを、別のラックコントローラに接続するように構成されている、少なくとも１つのラックコントローラインタフェースと、
を備え、
各ラックコントローラインタフェースは、
前記ラックコントローラインタフェースが別のラックコントローラに接続されている場合、前記ラックコントローラインタフェースのそれぞれの感知信号に対して、それぞれの第１の所定のレベルを発現させ、
前記ラックコントローラインタフェースが別のラックコントローラに接続されていない場合、前記ラックコントローラインタフェースのそれぞれの感知信号に対して、それぞれの第２の所定のレベルを発現させる
ように構成されたそれぞれの終端回路を備えており、
前記プロセッサは、それぞれの感知信号の機能として、各ラックコントローラインタフェースが別のラックコントローラに接続されているかどうかを決定するように構成される、
ラックコントローラ。
【請求項１１】
前記少なくとも１つのラックコントローラインタフェースは、デイジーチェーントポロジで、ラックコントローラのネットワークを確立するための第１および第２ラックコントローラインタフェースを備える、請求項１０に記載のラックコントローラ。
【請求項１２】
前記第１ラックコントローラインタフェースの前記それぞれの第１の所定のレベルは、前記第２ラックコントローラインタフェースの前記それぞれの第１の所定のレベルと、同じではない、請求項１１に記載のラックコントローラ。
【請求項１３】
前記プロセッサおよび前記パッチング装置バスインタフェースを備えるベースユニットをさらに備える、ラックコントローラであって、
前記ベースユニットは、該ベースユニットの前面に配置された位置特定ボタンを備え、該位置特定ボタンは前記プロセッサに結合され、前記位置特定ボタンは、前記プロセッサにユーザ入力を提供し、前記ラックコントローラに、ポータブルデバイスで実行中のアプリに、前記ラックコントローラ、前記ラック、または、前記ラックに取り付けられたパッチング装置のうちの少なくとも１つに関連付けられている情報を表示させるように操作可能なメッセージを送信させるために、作動させることができる、請求項１０に記載のラックコントローラ。
【請求項１４】
前記プロセッサおよび前記パッチング装置バスインタフェースを備えるベースユニットをさらに備え、
ケーブルを介して前記ベースユニットに接続されるように構成されたディスプレイユニットをさらに備える、請求項１０に記載のラックコントローラ。
【請求項１５】
前記少なくとも１つのバスインタフェースは、複数の独立したパッチング装置バスインタフェースを備え、各パッチング装置バスインタフェースは、前記プロセッサを、インテリジェントパッチング装置がインストールされている複数のラックのそれぞれに、インテリジェントパッチング装置と通信し、インテリジェントパッチング装置に電力を供給するために、インストールされている、それぞれのパッチング装置バスアセンブリに結合するように構成される、請求項１０に記載のラックコントローラ。
【請求項１６】
自動インフラ管理（ＡＩＭ）システムで使用するラックコントローラであって、
該ラックコントローラは、
ソフトウェアを実行するように構成されたプロセッサと、
少なくとも１つのパッチング装置バスインタフェースであって、各パッチング装置バスインタフェースは、前記プロセッサを、インテリジェントパッチング装置と通信し、該インテリジェントパッチング装置に電力を供給するための、該インテリジェントパッチング装置がインストールされているそれぞれのラックに設置された、それぞれのパッチング装置バスアセンブリに結合するように構成される、少なくとも１つのパッチング装置バスインタフェースと、
ベースユニットの前面に配置された位置特定ボタンであって、該位置特定ボタンは、前記プロセッサに結合され、前記位置特定ボタンは、前記ベースユニットに結合されたディスプレイユニットがなくても前記プロセッサにユーザ入力を提供し、前記ラックコントローラに、前記ラックコントローラ、前記ラック、または、前記ラックに取り付けられたパッチング装置のうちの少なくとも１つに関連する情報を表示するためにポータブルデバイスでアプリを実行させる操作可能なメッセージを送信させるために作動させることができる、位置特定ボタンと、
を備える基本ユニットを備える、
ラックコントローラ。
【請求項１７】
ケーブルを介して前記ベースユニットに接続されるように構成されたディスプレイユニットをさらに備える、請求項１６に記載のラックコントローラ。
【請求項１８】
前記少なくとも１つのバスインタフェースは、複数の独立したパッチング装置バスインタフェースを備え、各パッチング装置バスインタフェースは、前記プロセッサを、インテリジェントパッチング装置がインストールされている複数のラックのそれぞれに、該インテリジェントパッチング装置と通信し、該インテリジェントパッチング装置に電力を供給するために、インストールされている、それぞれのパッチング装置バスアセンブリに結合するように構成される、請求項１６に記載のラックコントローラ。
【請求項１９】
前記プロセッサを外部ネットワークに結合するように構成された外部ネットワークインタフェースをさらに備え、
前記外部ネットワークインタフェースは、前記プロセッサをイーサネットローカルエリアネットワーク（ＬＡＮ）に結合するように構成されるイーサネットインタフェースを備える、請求項１６に記載のラックコントローラ。
【請求項２０】
少なくとも１つのラックコントローラインタフェースであって、各ラックコントローラインタフェースは、前記ラックコントローラを別のラックコントローラに接続するように構成される、少なくとも１つのラックコントローラインタフェース、をさらに備える、請求項１６に記載のラックコントローラ。
【請求項２１】
各ラックコントローラインタフェースは、前記ラックコントローラインタフェースが別のラックコントローラに接続されている場合、前記ラックコントローラインタフェースのそれぞれの感知信号に対して、それぞれの第１の所定のレベルを発現させ、前記ラックコントローラインタフェースが別のラックコントローラに接続されていない場合、前記ラックコントローラインタフェースのそれぞれの感知信号に対して、それぞれの第２の所定のレベルを発現させるように構成されたそれぞれの終端回路を備えており、前記プロセッサは、それぞれの感知信号の機能として、各ラックコントローラインタフェースが別のラックコントローラに接続されているかどうかを決定するように構成される、請求項２０に記載のラックコントローラ。
【請求項２２】
前記少なくとも１つのラックコントローラインタフェースは、デイジーチェーントポロジで、ラックコントローラのネットワークを確立するための第１および第２ラックコントローラインタフェースを備え、
前記第１ラックコントローラインタフェースの前記それぞれの第１の所定のレベルは、前記第２ラックコントローラインタフェースの前記それぞれの第１の所定のレベルと、同じではない、請求項２１に記載のラックコントローラ。